(57)【要約】【課題】レリーズボタンが押下された場合に、スイッチがオンになるまでのストロークにばらつきがあった。ましてや、２段スイッチから成るレリーズボタンにおいては、１段目および２段目のスイッチがオンになるまでのそれぞれのストロークを管理することが難しかった。【解決手段】本発明の第１の態様におけるスイッチユニットは、地板と、付勢部材と、地板から離間する方向へ付勢部材により付勢されると共に地板から離脱しないように地板に抜け止めされ、使用者の押圧力を受けて変位する押圧部材と、地板に固定され、押圧部材の第１ストロークの変位により第１導通状態となり、押圧部材の第２ストロークの変位により第２導通状態となる電気切片とを備える。【選択図】図４
2018125296.tif 000002
【特許請求の範囲】
【請求項１】
地板と、
バネ部材と、
前記地板から離れる第１方向へ前記バネ部材により押されると共に前記バネ部材が押す力に抗して前記第１方向と反対の第２方向に変位可能な変位部材と、
前記地板に一端が固定され、他端の前記第１方向の移動が前記地板で制限された第１電気切片と、
前記変位部材の前記第２方向の変位により前記第１電気切片と導通する第２電気切片と
を備えるスイッチユニット。
【請求項２】
前記地板に一端が固定された第３電気切片をさらに備え、
前記第１電気切片は、前記変位部材の前記第２方向の変位により前記第３電気切片に導通する請求項１に記載のスイッチユニット。
【請求項３】
前記地板は、
前記第２電気切片が前記変位部材の第１ストロークの変位により前記第１電気切片と導通する位置で前記第１電気切片の前記第１方向の移動を制限する第１制限部と、
前記変位部材の前記第１ストロークと異なる第２ストロークの変位により前記第１電気切片が前記第３電気切片と導通する位置で前記第３電気切片の前記第１方向の移動を制限する第２制限部と
を有する請求項２に記載のスイッチユニット。
【請求項４】
前記第２制限部は、前記一端に対して前記変位部材よりも第１制限部の側に配置される請求項３に記載のスイッチユニット。
【請求項５】
前記変位部材の前記第２ストロークの変位により前記第１電気切片と一体的に変位して前記第３電気切片と導通する第４電気切片を更に含む請求項３または４に記載のスイッチユニット。
【請求項６】
前記地板を支持する筐体と、
前記変位部材と前記第１方向に連結した操作部材と
を備え、
前記操作部材は、前記筐体に対して前記第１方向に交差する第３方向に位置決めされている請求項１から５のいずれか１項に記載のスイッチユニット。
【請求項７】
前記操作部材と前記変位部材は、前記第１方向と交差する面内で互いに回転しないように接続されている請求項６に記載のスイッチユニット。
【請求項８】
前記操作部材は、前記操作部材に対して前記第１方向と交差する面内で回転する回転部材を介して前記筐体に対して位置決めされている請求項６または７に記載のスイッチユニット。
【請求項９】
前記操作部材は、前記回転部材よりも前記地板側において、前記第３方向へ伸びた鍔部を有し、
前記回転部材と前記鍔部の間に配置された、前記操作部材を前記変位部材から遠ざかる方向へ押す弾性部材を備える請求項８に記載のスイッチユニット。
【請求項１０】
前記バネ部材が前記変位部材を押す力は、前記弾性部材が前記操作部材を押す力よりも大きい請求項９に記載のスイッチユニット。
【請求項１１】
前記鍔部は、前記操作部材に装着されるリング部材である請求項９または１０に記載のスイッチユニット。
【請求項１２】
前記地板上に設けられた回路パターンと、
前記回路パターンに接触する接触ブラシと、
前記接触ブラシを支持して、前記回転部材と共に前記操作部材の周りに回動するブラシ支持部材と
を備える請求項８から１１のいずれか１項に記載のスイッチユニット。
【請求項１３】
前記操作部材が前記第２方向に移動すると、前記変位部材は、前記操作部材と共に前記第２方向に変位して前記第１電気切片と前記第２電気切片とを導通させ、
前記操作部材が前記第２方向に移動せずに前記変位部材が前記第２方向に変位すると、前記変位部材は前記操作部材に対して前記第２方向に相対的に変位して前記第１電気切片と前記第２電気切片とを導通させる請求項６から１２のいずれか１項に記載のスイッチユニット。
【請求項１４】
前記操作部材は、前記変位部材を押して前記操作部材に対して前記第２方向に相対移動させる軸材を挿通する挿通孔を有する請求項１３に記載のスイッチユニット。
【請求項１５】
前記変位部材は、前記第１方向と交差する面内での回転を制限する制限部を有する請求項１から１４のいずれか１項に記載のスイッチユニット。
【請求項１６】
請求項１から１５のいずれか１項に記載のスイッチユニットをレリーズスイッチとして備える撮像装置。
【発明の詳細な説明】
【技術分野】
【０００１】
本発明は、スイッチユニットおよび撮像装置に関する。
【背景技術】
【０００２】
スイッチを支持する地板とレリーズ軸を支持する外装部材を備えたスイッチ機構が知られている。
［先行技術文献］
［特許文献］
［特許文献１］  実開昭５９−１１６９３３号公報
【発明の概要】
【発明が解決しようとする課題】
【０００３】
レリーズボタンが押下された場合に、スイッチがオンになるまでのストロークにばらつきがあった。ましてや、２段スイッチから成るレリーズボタンにおいては、１段目および２段目のスイッチがオンになるまでのそれぞれのストロークを管理することが難しかった。
【課題を解決するための手段】
【０００４】
本発明の第１の態様におけるスイッチユニットは、地板と、付勢部材と、地板から離間する方向へ付勢部材により付勢されると共に地板から離脱しないように地板に抜け止めされ、使用者の押圧力を受けて変位する押圧部材と、地板に固定され、押圧部材の第１ストロークの変位により第１導通状態となり、押圧部材の第２ストロークの変位により第２導通状態となる電気切片とを備える。
【０００５】
本発明の第２の態様における撮像装置は、上記のスイッチユニットをレリーズスイッチとして備える。
【０００６】
なお、上記の発明の概要は、本発明の特徴の全てを列挙したものではない。また、これらの特徴群のサブコンビネーションもまた、発明となりうる。
【図面の簡単な説明】
【０００７】
【図１】本実施形態に係るスイッチユニットを備えるカメラの上面図である。
【図２】本実施形態に係るスイッチユニットの分解斜視図である。
【図３】スイッチユニットの切片支持部を模式的に示した部分拡大図である。
【図４】図１におけるスイッチユニットのＡ−Ａ断面図である。
【図５】レリーズボタンとスリーブの外観斜視図である。
【図６】本実施形態に係るスイッチユニットのスリーブの回転規制と電源ダイヤルの回動制限を説明する図である。
【図７】使用者の指によりレリーズボタンを押圧する様子とケーブルレリーズによりスリーブを押圧する様子を示す図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るスイッチユニットを備えるカメラ１０の上面図である。  カメラ１０は、撮像装置としてのカメラユニット１２に着脱可能なレンズユニット１４が装着されて構成される。カメラユニット１２は、スイッチユニット２０を含む。スイッチユニット２０は、レリーズボタン５０および電源ダイヤル６０を含む。
【００１０】
図示するように、スイッチユニット２０は、カメラ１０の上面に配置されている。以降の説明において、カメラ１０のうち、レリーズボタン５０が外観に現れる紙面手前側を上面側あるいは上側とし、図とは反対側を底面側あるいは下側と定める。また、レンズが装着される紙面上側を前側、紙面下側を後側とする。つまり、レンズユニット１４が着脱される方向を、前後方向とする。また、紙面中心に対しスイッチユニット２０が配置される側を右側、反対側を左側とする。前後方向および左右方向をまとめて平面方向という場合がある。
【００１１】
接触部材としてのレリーズボタン５０は、使用者に接触されて、使用者による押圧力を後述する電気切片に伝達する。レリーズボタン５０は、二段押し込み式のスイッチである。ここで、レリーズボタン５０の一段目の変位を第１ストロークと定め、二段目の変位を第２ストロークと定める。電気切片は、レリーズボタン５０の第１ストロークおよび第２ストロークの変位に対応して、第１導通状態および第２導通状態をとる。
【００１２】
使用者が直接レリーズボタン５０を第１ストロークだけ変位させた場合に、電気切片は、第１導通状態となる。第１導通状態では、例えばＡＥおよびＡＦの撮影準備動作が実行される。使用者がレリーズボタン５０を第２ストロークだけ変位させた場合に、電気切片は、第２導通状態となる。第２導通状態では、被写体像を光電変換して画像データを生成する撮影動作が実行される。
【００１３】
挿通孔５２は、レリーズボタン５０の中央に設けられる。チューブ内を進退する押圧軸材を有するケーブルレリーズは、挿通孔５２に装着される。使用者は、ケーブルレリーズを操作することにより、カメラ１０から離れていても電気切片を第１導通状態または第２導通状態にすることができる。詳しくは後述するが、使用者が押圧軸材を第１ストロークだけ変位させた場合に、押圧軸材は、電気切片を押圧する。そして、電気切片は、第１導通状態となる。使用者が押圧軸材を第２ストロークだけ変位させた場合に、押圧軸材は、電気切片を押圧する。そして、電気切片は、第２導通状態となる。
【００１４】
したがって、使用者は、ケーブルレリーズを操作することにより、直接レリーズボタン５０に触れなくても、電気切片を第１導通状態または第２導通状態にすることができる。以上のように、本実施形態におけるスイッチユニット２０は、使用者の接触による直接的な操作と、ケーブルレリーズを介した間接的な操作のいずれの操作を受けた場合においても、電気切片を第１導通状態または第２導通状態にすることができる。
【００１５】
回動部材としての電源ダイヤル６０は、レリーズボタン５０の外周に配置される。電源ダイヤル６０は、レリーズボタン５０の軸周りに回動する。電源ダイヤル６０は、例えば４５度回動できるように後述する回動制限部材により回動角を制限されている。電源ダイヤル６０においては、回動角の両ポジションにそれぞれ電源オンと電源オフが割り当てられる。使用者は、電源ダイヤル６０をいずれかのポジションに操作することにより、カメラユニット１２の電源をオンまたはオフの状態に切り替えることができる。
【００１６】
図２は、本実施形態に係るスイッチユニット２０の分解斜視図である。特に図２（ａ）は、俯瞰図であり、図２（ｂ）は、仰視図である。図示するように、スイッチユニット２０は、レリーズボタン５０、電源ダイヤル６０、防滴ゴム８０、軸受部材９０、スポンジ１００、Ｅリング１１０、電源ダイヤルカラー１２０、ブラシ支持部材１３０、接触ブラシ１４０、クリック板１５０およびビス１６０を含む。さらに、スイッチユニット２０は、スリーブ１７０、バネ１８０、地板１９０、Ｅリング２００、鋼球２１０、バネ２２０、電気切片２３０およびビス２４０を含む。
【００１７】
レリーズボタン５０は、接触面５１、挿通孔５２、軸５３、溝５４および平面５５を含む。軸５３は、レリーズボタン５０の使用者に接触される接触面５１とは反対側の面に、押下方向に沿って設けられる。軸５３は、中空軸であり、中空部分は挿通孔５２と繋がっている。溝５４は、軸５３の外周に周方向へ形成される。互いに対向する二つの平面５５は、溝５４よりも先端側の外周面に形成される。
【００１８】
電源ダイヤル６０は、凹部６１および貫通孔６２を含む。電源ダイヤル６０は、円柱状に形成される。使用者による操作性を向上させるべく、電源ダイヤル６０の外周面は、ローレット加工が施される。電源ダイヤル６０の上面は、円筒状の凹部６１が設けられる。貫通孔６２は、凹部６１の底に凹部６１と同軸に形成される孔である。レリーズボタン５０は、凹部６１に上側から挿入される。
【００１９】
軸受部材９０は、胴部９１および鍔部９２を含む。軸受部材９０は、レリーズボタン５０を支持する役割を担う。胴部９１は、円筒状に形成される。鍔部９２は、胴部９１の下側の端に、胴部９１の外径を拡張するように形成される。胴部９１は、貫通孔６２に下側から挿入される。そして、電源ダイヤル６０に軸受部材９０を嵌合させた状態で、軸５３は、胴部９１に上側から挿入される。
【００２０】
封止部材としての防滴ゴム８０は、円筒状に形成される。防滴ゴム８０は、軸５３の外周に嵌入され、レリーズボタン５０と電源ダイヤル６０の間に配置される。
【００２１】
弾性部材としてのスポンジ１００は、円環状に形成される。スポンジ１００は、軸５３の外周に挿入される。そして、リング部材としてのＥリング１１０は、溝５４に嵌入されて、軸５３の外周に締結される。つまり、スポンジ１００は、軸受部材９０とＥリング１１０の間に介在する。Ｅリング１１０により、スリーブ１７０は、地板１９０から離脱することを防ぐことができる。なお、Ｅリング１１０は、軸５３の外周方向へ伸延する伸延部の一例である。
【００２２】
電源ダイヤル６０は、Ｅリング１１０により抜け止めされたレリーズボタン５０が取り付けられた後に、電源ダイヤルカラー１２０に取り付けられる。電源ダイヤルカラー１２０は、詳しくは後述するが、筐体としての外装部材４０に固定されている。
【００２３】
外装部材４０は、カメラユニット１２の外観を構成するカバー部材である。外装部材４０は、上側の面に挿通孔４１が形成される。
【００２４】
電源ダイヤルカラー１２０は、挿通孔４１に下側から挿入される。電源ダイヤルカラー１２０は、電源ダイヤル６０を取り付ける場合に径方向の位置決め部材としての役割を担う。電源ダイヤルカラー１２０は、胴部１２１と鍔部１２２を含む。胴部１２１は、円筒状に形成される。鍔部１２２は、胴部１２１の下側の端に胴部１２１の外径を拡張するように形成される。鍔部１２２は、例えば接着剤を使用して外装部材４０の下側の面すなわち裏面に固定される。胴部１２１は、挿通孔４１から上側に突出している。
【００２５】
電源ダイヤルカラー１２０は、図２（ｂ）に示すように、胴部１２１の内周から下側に突出して形成される突部１２３をさらに含む。突部１２３は、周方向に予め定められた間隔を開けて形成された二つの突起から成る。詳しくは後述するが、突部１２３は、電源ダイヤル６０の回動を制限する回動制限部材としての役割を担う。さらに、突部１２３は、スリーブ１７０の軸周りの回転を規制する回転規制部材としての役割も担う。
【００２６】
電源ダイヤル６０は、胴部１２１の外周面に対して嵌合する。ブラシ支持部材１３０は、軸受部材９０の下側の面に取り付けられる。
【００２７】
ブラシ支持部材１３０は、基台部１３１、取付部１３２、ブラシ固定部１３３および切欠部１３４を含む。基台部１３１は、円環状に形成される。取付部１３２は、基台部１３１の上側の面に凸状に形成される。
【００２８】
図２（ｂ）に示すように、ブラシ固定部１３３は、ブラシ支持部材１３０の下側の面に凸状に形成される。接触ブラシ１４０は、ブラシ固定部１３３の下側の端面に固定される。
【００２９】
接触ブラシ１４０は、例えば金属により形成される板バネである。接触ブラシ１４０の一端は、ブラシ固定部１３３に例えば溶着により固定される。接触ブラシ１４０の他端は、地板１９０の上側の面に設けられた回路パターンと接触する。
【００３０】
クリック板１５０は、鋼球２１０およびバネ２２０とともに使用者にクリック感を与える役割を担う。クリック板１５０は、例えば金属板により形成される。クリック板１５０は、基台部１３１の外形に沿ってＣ字状に形成される。クリック孔１５１は、クリック板１５０に複数形成される。クリック孔１５１は、電源ダイヤル６０の回動ポジションに合わせて形成される。本実施形態においては、電源ダイヤル６０のポジションは、電源オンおよび電源オフの２つなので、クリック孔１５１は、２カ所に設けられる。
【００３１】
ブラシ支持部材１３０は、下側の面にクリック板１５０を当接させた状態で、ビス１６０により、上側に面に軸受部材９０を介して電源ダイヤル６０に固定される。したがって、ブラシ支持部材１３０は、電源ダイヤル６０と一体となって、電源ダイヤル６０と共に軸周りに回動することができる。したがって、接触ブラシ１４０は、電源ダイヤル６０の回動に対応して回路パターン上を摺動することができる。
【００３２】
押圧部材としてのスリーブ１７０は、電気切片２３０を押圧する役割を担う。スリーブ１７０は、胴部１７１、第１軸１７２、第２軸１７３および突出部１７５を含む。胴部１７１は、円柱状に形成される。第１軸１７２は、胴部１７１の上側の面から上側に延出して形成される。第２軸１７３は、胴部１７１の下側の面から下側に延出して形成される。詳しくは後述するが、胴部１７１の上側に面には、第１軸１７２を環囲する溝部１７４が形成される。規制部としての突出部１７５は、胴部１７１から径方向に突出して形成される。溝１７６は、第２軸１７３の外周に周方向へ形成される。
【００３３】
付勢部材としてのバネ１８０は、例えば圧縮コイルスプリングである。バネ１８０は、第２軸１７３の外周に配置された状態で、スリーブ１７０と地板１９０の間に介在する。バネ１８０は、スリーブ１７０を地板１９０から離間する方向、すなわち上側に付勢する。
【００３４】
地板１９０は、挿通孔１９１、バネ収容部１９２、切片固定部１９６および切片支持部１９３を含む。第２軸１７３は、挿通孔１９１に挿通される。Ｅリング２００は、溝１７６に嵌入され、第２軸１７３の外周に締結される。Ｅリング２００により、スリーブ１７０は、地板１９０から離脱することを防ぐことができる。
【００３５】
地板１９０は、図２（ｂ）に示すように、下側の面に切片固定部１９６と切片支持部１９３をさらに含む。電気切片２３０は、ビス２４０により切片固定部１９６に固定される。詳しくは後述するが、切片支持部１９３は、地板１９０から下側に突出して形成される。切片支持部１９３は、電気切片２３０を固定する側、すなわち電気切片２３０の固定端とは反対の端、すなわち自由端を上側に付勢した状態で支持する。
【００３６】
地板１９０は、バネ収容部１９２をさらに含む。バネ収容部１９２は、地板１９０の上側の面から円筒状に突出して形成される。バネ２２０は、例えば圧縮コイルスプリングである。バネ２２０は、鋼球２１０をクリック板１５０に付勢する。
【００３７】
鋼球２１０は、静定状態においては一方のクリック孔１５１に付勢される。使用者が電源ダイヤル６０を回転させると、鋼球２１０は、一旦クリック板１５０の表面に乗り上げてバネ２２０を圧縮し、他方のクリック孔１５１へ転移する。このとき、バネ２２０の抵抗力により、使用者はクリック感を得ることができる。
【００３８】
地板１９０は、スリーブ１７０、鋼球２１０、バネ２２０および電気切片２３０が固定された後に外装部材４０に取り付けられる。そして、レリーズボタン５０とスリーブ１７０は、軸方向に連結される。したがって、使用者によりレリーズボタン５０が下側へ押下されると、スリーブ１７０は、下側に変位して電気切片２３０と接触することができる。
【００３９】
図３は、本実施形態に係るスイッチユニット２０の切片支持部１９３を模式的に示した部分拡大図である。図３では、下側からの視点による切片支持部１９３を示す。切片支持部１９３は、第１支持部１９４と第２支持部１９５を含む。第１支持部１９４は、第２切片２３２の一端を支持し、第２支持部１９５は、第３切片２３３の一端を支持する。
【００４０】
第１支持部１９４は、地板１９０の下側の面に凸状に形成される。第１支持部１９４は、紙面上下方向を長手方向とし、紙面左右方向を短手方向とする直方体である。第２支持部１９５は、地板１９０に対して凸状に２つ形成される。それぞれの第２支持部１９５は、第２軸１７３に面する第１支持部１９４の側面の両端近傍にそれぞれ隣接して設けられる。
【００４１】
２つの第２支持部１９５の支持面は、地板１９０から同一の高さであり、第１支持部１９４の支持面は、第２支持部１９５の支持面よりも、地板１９０からの高さが低く形成されている。第２切片２３２のうち第１支持部１９４に支持される一端は、ストレートに伸びる自由端である。第３切片２３３は、第２切片２３２よりも紙面手前側に配置され、第３切片２３３のうち第２支持部１９５に支持される一端は、Ｔ字状に形成された自由端である。第３切片２３３は、Ｔ字状の側方へ伸びるそれぞれの部分において、２つの第２支持部１９５のそれぞれに支持される。
【００４２】
図示するように、第１支持部１９４と２つの第２支持部１９５は、第２軸１７３の外周部の半周以下の範囲を取り囲むように配置される。このように配置すると、Ｅリング２００を第２軸１７３に装着しやすい。また、Ｅリング２００と干渉しない程度に第２支持部１９５を第２軸１７３側へ寄せれば、切片支持部１９３が占有する面積を小さくすることができる。
【００４３】
図４は、図１におけるスイッチユニット２０のＡ−Ａ断面図である。電源ダイヤル６０の内周面は、電源ダイヤルカラー１２０の外周面に対して摺動嵌合する。したがって、電源ダイヤル６０は、電源ダイヤルカラー１２０の周りを回動できる。
【００４４】
軸５３の外周面は、胴部９１の内周面に対して摺動嵌合する。レリーズボタン５０は、軸受部材９０に対して上下方向に摺動できる。
【００４５】
防滴ゴム８０の一端は、胴部９１の外周面に支持される。防滴ゴム８０の他端は、接触面５１の裏面と接触する。ゆえに、防滴ゴム８０は、接触面５１の裏面と胴部９１の間を封止することができる。したがって、防滴ゴム８０は、レリーズボタン５０と電源ダイヤル６０の隙間からの水、塵等の異物の侵入を防ぐことができる。なお、防滴ゴム８０は、レリーズボタン５０を上側に付勢している。
【００４６】
スポンジ１００は、Ｅリング１１０と軸受部材９０の間に軸方向に圧縮された状態で配置される。したがって、スポンジ１００は、レリーズボタン５０を下側に付勢する。なお、スポンジ１００の付勢力は、防滴ゴム８０の付勢力よりも大きい。よって、レリーズボタン５０は、下側に付勢されている。
【００４７】
レリーズボタン５０に設けられた互いに対向する二つの平面５５は、スリーブ１７０に設けられた互いに対向する二つの平面１７７に摺動嵌合する。すなわち、レリーズボタン５０とスリーブ１７０は、互いに一部が径方向に嵌合して、軸方向に連なる。第２軸１７３は、挿通孔１９１に対して嵌合する。挿通孔１９１の内径は、第２軸１７３の外径よりも大きい。第２軸１７３は、Ｅリング２００により抜け止めされている。
【００４８】
バネ１８０は、スリーブ１７０と地板１９０の間に介在する。バネ１８０は、スリーブ１７０を上側に付勢する。バネ１８０の付勢力は、スポンジ１００の付勢力よりも大きい。したがって、レリーズボタン５０とスリーブ１７０の嵌合部には、軸方向の隙間が生じない。ゆえに、レリーズボタン５０とスリーブ１７０の上下のガタがなくなるので、レリーズボタン５０のストロークを一定にすることができる。
【００４９】
第１ストロークは、図中の寸法ａから第１切片２３１の板厚を除いた変位量である。スリーブ１７０が第１ストロークだけ変位した場合には、第２軸１７３の先端は、第１切片２３１に接触した後に、第１切片２３１は、第２切片２３２と接触する。そして、電気切片２３０は、第１導通状態になる。
【００５０】
第２ストロークは、図中の寸法ｂから第２切片２３２の板厚と第４切片２３４の板厚を除いた変位量である。スリーブ１７０が第２ストロークだけ変位した場合には、第４切片２３４は、第３切片２３３と接触する。そして、電気切片２３０は、第２導通状態になる。なお、本実施形態においては、第２切片２３２のへたりを防ぎ、反力を向上させる目的で、第４切片２３４を使用する。第４切片２３４は、第２切片２３２と一体的に変位する重ねバネである。
【００５１】
一般的に、レリーズボタンは、カメラの外側に露出して配置され、使用者に操作される。レリーズボタンはカメラの外側に露出しているので、使用者は、容易にカバー等の外観部材に対するレリーズボタンの配置状態を視認することができる。例えば、レリーズボタンがカバー等の外観部材に対してずれて配置されていると、カメラの外観品位は低下する。カメラの外観品位の低下を抑制すべく、レリーズボタンは、外観部材を基準として位置決めされて取り付けられることが多い。
【００５２】
使用者がレリーズボタンを押圧すると、レリーズボタンは押圧方向に変位する。レリーズボタンが変位すると、レリーズボタンの先端は、レリーズボタンの下側に設けられたスイッチを押圧する。スイッチは、レリーズボタンに押圧されることにより、電気的な導通状態と非導通状態を切り替える部材である。スイッチは、回路基板に実装される。スイッチが実装された回路基板は、外観部材とは別の、支持部材によって支持される。そして支持部材は、カメラの構造体に支持される。外装部材は、構造体に取り付けられる。
【００５３】
以上のような従来の構成によれば、レリーズボタンとスイッチの相対的な位置関係は、設計位置に対して、レリーズボタン、外観部材、支持部材、回路基板およびスイッチの製造上の寸法ばらつきが累積されて、大きくずれる場合がある。しかも、以上の部品を互いに組み付ける場合の組み付け誤差も累積され、誤差はさらに拡大する。つまり、レリーズボタンとスイッチは、上下方向にも平面方向にも、大きくずれ得る関係にあった。
【００５４】
レリーズボタンとスイッチの上下方向の位置ずれが生じると、スイッチの導通状態と非導通状態が切り替わるまでのレリーズボタンの変位量がばらつくという問題があった。レリーズボタンとスイッチの平面方向の位置ずれが生じると、レリーズボタンは、スイッチの中心を押圧できないことがあった。レリーズボタンがスイッチの中心を押圧できない場合には、スイッチの導通状態と非導通状態を切り替えることができないことがある。したがって、使用者がレリーズボタンを押圧しても、スイッチの導通状態と非導通状態が切り替わらないという問題があった。
【００５５】
本実施形態によれば、スリーブ１７０と電気切片２３０は、ともに同一の地板１９０に支持されている。挿通孔１９１は、地板１９０の基準面から貫通するように設けられている。第２軸１７３は、挿通孔１９１に挿通されている。Ｅリング２００は、第２軸１７３の外周に装着される。バネ１８０は、スリーブ１７０と地板１９０の間に介在してスリーブ１７０を上側に付勢している。スリーブ１７０は、バネ１８０により上側に付勢されても、Ｅリング２００が地板１９０の基準面に当接することにより、挿通孔１９１から離脱することは無い。つまり、スリーブ１７０は、Ｅリング２００の作用により、地板１９０の基準面に対して上下方向に位置決めされている。ただし、挿通孔１９１は、スリーブ１７０に対して間隙を有するように形成されているので、スリーブ１７０は、地板１９０に対して、平面方向へは、位置決めされていない。
【００５６】
第１支持部１９４、第２支持部１９５および切片固定部１９６は、地板１９０の基準面から正確な位置に形成される。第２切片２３２の一端は、絶縁部材２５０を介して切片固定部１９６に固定されることにより、正確に位置決めされる。第２切片２３２の他端は、第１支持部１９４に付勢力を与えた状態で、第１支持部１９４に支持される。したがって、第２切片２３２は、地板１９０を基準として上下方向に正確に位置決めされる。
【００５７】
第３切片２３３の一端は、絶縁部材２５２を介して切片固定部１９６に固定されることにより、正確に位置決めされる。第３切片２３３の他端は、第２支持部１９５に付勢力を与えた状態で、第２支持部１９５に支持される。したがって、第３切片２３３は、地板１９０を基準として上下方向に正確に位置決めされる。
【００５８】
第１支持部と１９４第２支持部１９５は、上述のように、上下方向に異なる高さで形成されているしたがって、電気切片２３０は、スリーブ１７０の第１ストロークの変位により第１導通状態になることができ、スリーブ１７０の第２ストロークの変位により第２導通状態になることができる。
【００５９】
スリーブ１７０と電気切片２３０は、同一の地板１９０に対して正確に位置決めされている。スリーブ１７０と電気切片２３０は、複数の部品を介して取り付けられないので、ばらつきの累積を少なくすることができる。したがって、組み付け誤差、部品の個体差等によって生じ得るスリーブ１７０と電気切片２３０の位置ずれを極力軽減できる。
【００６０】
レリーズボタン５０は、スポンジ１００により下側へ付勢されている。スリーブ１７０は、バネ１８０により上側に付勢されている。バネ１８０の付勢力は、スポンジ１００の付勢力よりも大きい。したがって、スリーブ１７０は、挿通孔１９１の下側の面に当接して上下方向に正確に配置されている。さらに、スリーブ１７０は、レリーズボタン５０と上下方向に密着している。
【００６１】
使用者がレリーズボタン５０を第１ストロークだけ変位させた場合には、スリーブ１７０は、レリーズボタン５０と一体的に第１ストロークだけ変位することができる。そして、第２軸１７３の先端は、第１切片２３１を押圧し、第１切片２３１は、下側に撓んで第２切片２３２の半球状の突部と点接触する。第１切片２３１と第２切片２３２が接触した場合に、正確に第１導通状態になることができる。
【００６２】
さらに、使用者がレリーズボタン５０を第２ストトークだけ変位させた場合には、スリーブ１７０は、レリーズボタン５０と一体的に第２ストロークだけ変位することができる。そして、第１切片２３１、第２切片２３２および第４切片２３４が一体的に下側に撓んで第３切片２３３の半球状の突起と点接触する。第４切片２３４と第３切片２３３が接触した場合に、正確に第２導通状態になることができる。
【００６３】
したがって、本実施形態によれば、レリーズボタン５０を外装部材４０に位置決めして取り付けることにより外観品位を損ねることなく、レリーズボタン５０の第１導通状態になる第１ストロークの変位と第２導通状態になる第２ストロークの変位のばらつきを少なくすることができる。
【００６４】
以上にも説明したが、レリーズボタン５０は、外観品位の観点から外装部材４０に位置決めされることが望まれる。本実施形態においては、電源ダイヤルカラー１２０は、外装部材４０を基準として位置決めされている。そして、電源ダイヤル６０は、電源ダイヤルカラー１２０の外周を基準として位置決めされている。具体的には、電源ダイヤル６０の内周は、電源ダイヤルカラー１２０の外周に摺動嵌合している。
【００６５】
レリーズボタン５０は、電源ダイヤル６０を基準として位置決めされている。具体的には、軸５３の外周は、胴部９１の内周に摺動嵌合している。以上の組み付けにより、レリーズボタン５０は、外装部材４０を基準として位置決めされる。レリーズボタン５０は、外装部材４０、電源ダイヤルカラー１２０、電源ダイヤル６０、軸受部材９０等の複数の部品を介して外装部材４０に取り付けられる。つまり、レリーズボタン５０は、平面方向については、外装部材４０を基準として位置決めされている。
【００６６】
上述の通り、スリーブ１７０は、地板１９０に対して上下方向へは位置決めされているものの、平面方向へは位置決めされていない。したがって、スリーブ１７０は、外装部材４０を基準として平面方向へ位置決めされたレリーズボタン５０に対して、軸方向に連結することができる。つまり、レリーズボタン５０は、平面方向に対しては外装部材４０を基準として位置決めされ、上下方向に対しては、地板１９０の基準面に対して位置決めされる。このように構成することにより、本実施形態のスイッチユニット２０によれば、優れた外観品位を保ちつつ、かつ、設計値に極めて近い第１ストロークおよび第２ストロークによる導通状態を実現することができる。例えば、設計値としての第１ストロークと第２ストロークが等しい場合に、組み立てられたスイッチユニット２０の実際の第１ストロークと第２ストロークは、ほぼ等しいことが期待できる。また、組み立てられた製品ごとのストロークも互いにばらつくことが無く、高い品質を保つことが期待できる。
【００６７】
図５は、本実施形態に係るスイッチユニット２０のレリーズボタン５０とスリーブ１７０の外観斜視図である。互いに対向する二つの平面５５は、軸５３の外周に形成されている。すなわち、軸５３は、先端にいわゆる二方取り加工が施されている。
【００６８】
互いに対向する二つの平面１７７は、溝部１７４の外周に形成されている。すなわち、溝部１７４は、いわゆる二方取り加工がされている。二つの平面５５は、二つの平面１７７と軸方向に摺動嵌合する。すなわち、レリーズボタン５０は、スリーブ１７０に対して軸方向に摺動できる。スリーブ１７０は、レリーズボタン５０に対して図示する寸法ｃの範囲を摺動することができる。本実施形態においては、スリーブ１７０が軸方向に変位する場合に、軸方向の倒れを抑制すべく、第１軸１７２は、寸法ｃで示される嵌合長よりも長く形成されている。二つの平面５５と二つの平面１７７が嵌合することにより、レリーズボタン５０とスリーブ１７０は、軸周りに互いに摺動しない。
【００６９】
突出部１７５は、胴部１７１から径方向に突出して、上側に延びて形成される。詳しくは後述するが、突出部１７５は、回転規制部材により軸周りの回転が規制される。レリーズボタン５０は、スリーブ１７０と軸方向に連なるので、スリーブ１７０の軸周りの回転が規制されれば、レリーズボタン５０の軸周りの回転は規制される。よって、使用者は、容易にケーブルレリーズをレリーズボタン５０に取り付けることができる。
【００７０】
図６は、本実施形態に係るスイッチユニット２０のスリーブ１７０の回転規制と電源ダイヤル６０の回動制限を説明する図である。図６（ａ）は、下側からの視点による、突部１２３により電源ダイヤル６０の回動と、スリーブ１７０の回転とを規制する様子を模式的に示している。
【００７１】
突部１２３は、円弧状に形成される。突部１２３の円弧中心は、電源ダイヤル６０およびスリーブ１７０の回転中心と同一である。図６（ｂ）、（ｃ）を用いて、スリーブ１７０と突部１２３の関係、および電源ダイヤル６０と突部１２３の関係を説明する。
【００７２】
図６（ｂ）は、突部１２３により、スリーブ１７０の回転を規制する様子を模式的に示している。二つの突部１２３は、それぞれの側面に規制面１２４を有する。二つの規制面１２４は、それぞれ突部１２３の側面１７８に対応して形成される。二つの突部１２３は、突出部１７５を円周方向から挟み込んでいる。突出部１７５の側面１７８は、規制面１２４に当接することにより、スリーブ１７０の軸周りの回転を規制することができる。面取部１２５は、規制面１２４と突部１２３の上面との稜線に形成される。突出部１７５を下側から二つの突部１２３の間に挿入する場合に、面取部１２５により、突出部１７５は、二つの突部１２３の間に挿入されやすくなる。
【００７３】
図６（ｃ）は、突部１２３により、電源ダイヤル６０の回動を制限する様子を模式的に示している。二つの突部１２３は、それぞれの側面に制限面１２６を有する。制限面１２６は、それぞれ径方向に沿った平面である。突部１２３は、切欠部１３４に入り込んでいる。切欠部１３４は、ブラシ支持部材１３０の内周を径方向に切り欠いて形成されている。電源ダイヤル６０が回動した場合に、切欠部１３４の径方向の側面１３５は、制限面１２６に当接することにより、電源ダイヤル６０の回動を制限する。つまり、一方の制限面１２６と一方の側面１３５が当接した状態において、他方の制限面１２６と他方の切欠部１３４の側面１３５との成す角θにより、電源ダイヤル６０の回動角を制限することができる。
【００７４】
本実施形態においては、突部１２３は、スリーブ１７０の軸方向への回転を規制する回転規制部材と、電源ダイヤル６０の回動角度を制限する回動制限部材としての役割を兼ねている。つまり、軸５３の方向から見た場合に、回転規制部材と回動制限部材を同一径上に配置した。すなわち、レリーズボタン５０の軸方向から見た場合に、回転規制部材と回動制限部材は、互いに少なくとも一部が同一径上に配置されるので、スイッチユニット２０は、径方向に面積が大きくなることが抑制できる。さらに、図６（ａ）に示すように、Ｅリング１１０は、軸５３の方向から見た場合に、突部１２３と、少なくとも一部が同一径上に配置されている。すなわち、レリーズボタン５０の軸方向から見た場合に、Ｅリング１１０は、回転規制部材と回動制限部材のそれぞれと、互いに少なくとも一部が同一径上に配置されるので、スイッチユニット２０は、径方向に面積が大きくなることが抑制できる。
【００７５】
図７は、使用者の指によりレリーズボタン５０を押圧する様子とケーブルレリーズ３００によりスリーブ１７０を押圧する様子を示す図である。図７（ａ）は、使用者の指によりレリーズボタン５０を下側に押圧する様子を示す。使用者の指により直接的にレリーズボタン５０を押圧する場合には、スリーブ１７０は、レリーズボタン５０の変位に対応して、レリーズボタン５０と共に下側に変位する。そして、スリーブ１７０は、電気切片２３０を導通状態にする。つまり、使用者がレリーズボタン５０を押下すれば、スリーブ１７０は、第１導通状態または第２導通状態を実現することができる。
【００７６】
図７（ｂ）は、ケーブルレリーズ３００によりスリーブ１７０を押圧する様子を示す。ケーブルレリーズ３００によりスリーブ１７０を押圧する場合は、レリーズボタン５０は変位しない。ケーブルレリーズ３００は、取付部３０２、押圧軸材３０４およびチューブ３０８を含む。取付部３０２の外周は、雄ねじが加工されている。挿通孔５２の内周は、雌ねじが加工されている。取付部３０２は、中央に貫通孔３０６を有する。取付部３０２は、挿通孔５２に締結されてレリーズボタン５０に装着される。チューブ３０８は、取付部３０２の上側に設けられる。
【００７７】
押圧軸材３０４は、チューブ３０８および貫通孔３０６の内部に進退可能に挿入される。使用者が押圧軸材３０４が押圧すると、押圧軸材３０４の先端は、スリーブ１７０を押圧する。つまり、使用者が押圧軸材３０４を押圧する場合には、スリーブ１７０は、押圧軸材３０４の変位に対応して、押圧軸材３０４とともに下側に変位する。そして、スリーブ１７０は、電気切片２３０を導通状態にする。つまり、使用者がレリーズボタン５０を押下せずに押圧軸材３０４を押下しても、スリーブ１７０は、第１導通状態または第２導通状態を実現することができる。
【００７８】
以上のように、本実施形態のスイッチユニット２０によれば、使用者による直接的な操作と、ケーブルレリーズによる間接的な操作のいずれに対しても、電気切片２３０を第１導通状態または第２導通状態にすることができる。
【００７９】
以上の実施形態においては、Ｅリング２００を使用して、スリーブ１７０が地板１９０から離脱されることを防ぐ例を示した。しかしながら、スリーブ１７０の抜け止めは、Ｅリング２００以外であってもよい。例えば、第２軸１７３にスナップフィットを設けることにより、スリーブ１７０は、抜け止めされてもよい。また、Ｅリング１１０を使用して、レリーズボタン５０が軸受部材９０から離脱されることを防ぐ例を示した。軸５３に伸延部としてスナップフィットを設けることにより、レリーズボタン５０は、抜け止めされてもよい。スナップフィットを使用することにより、部品点数を削減できるので、部品コストを削減することができる。さらに、スナップフィットを使用すれば、組立を簡略化することができる。
【００８０】
以上の実施形態においては、電源ダイヤル６０の外観の品位を向上させつつ低コスト化を図るべく、電源ダイヤル６０と軸受部材９０を別体にする例を示した。しかしながら、電源ダイヤル６０と軸受部材９０は、一体に形成されてもよい。電源ダイヤル６０と軸受部材９０を一体に形成することにより、部品点数が削減できるので、部品コストを削減することができる。さらに、部品点数が削減できるので、組立性を向上させることができる。
【００８１】
以上の実施形態においては、ブラシ支持部材１３０とクリック板１５０を別体にする例を示した。しかしながら、ブラシ支持部材１３０とクリック板１５０は、一体に形成されてもよい。すなわち、クリック孔１５１は、ブラシ支持部材１３０の下側の面に形成されればよい。ブラシ支持部材１３０とクリック板１５０を一体に形成することにより、部品点数を削減することができるので、部品コストを削減することができる。さらに、部品点数が削減できるので、組立性を向上させることができる。
【００８２】
以上の実施形態においては、スリーブ１７０に突出部１７５を設け、スリーブ１７０の回転を規制する例を示した。しかしながら、ケーブルレリーズ３００を使用する場合には、レリーズボタン５０の回転が制限されればよいので、レリーズボタン５０に突出部を設けて、レリーズボタン５０の回転を規制してもよい。具体的には、胴部９１は、突出部に対応した形状の溝部を胴部９１の外周に形成すればよい。レリーズボタン５０の突出部を軸受部材９０の溝部に嵌入させることにより、レリーズボタン５０は、軸受部材９０に対して軸周りの回転を規制される。レリーズボタン５０に突出部を設ける場合は、スリーブ１７０との軸方向の連結部には、二方取り加工をしなくてもよい。つまり、レリーズボタン５０の回転が規制される場合には、スリーブ１７０は、回転してもよい。
【００８３】
以上の実施形態においては、切片支持部１９３は、Ｅリング２００を半周以下で取り囲むように形成した。しかしながら、Ｅリング２００の外形と略同一幅になるように、切片支持部１９３は、長手方向の寸法を小さくしてもよい。切片支持部１９３の長手方向の寸法を小さくすることにより、切片支持部１９３は、小型にすることができる。これにより、地板１９０に対する電気切片２３０の占有面積を小さくすることができる。
【００８４】
以上の実施形態においては、レンズユニット１４が、カメラユニット１２に対して着脱可能に装着されるカメラ１０にスイッチユニット２０を適用する例を示した。しかしながら、スイッチユニット２０は、レンズユニット１４を一体的に備えるカメラ１０に適用してもよい。
【００８５】
さらに、以上の実施形態においては、スイッチユニット２０は、カメラユニット１２を構成するレリーズスイッチとして適用する例を示したが、適用範囲はレリーズスイッチに限らず、電子機器のスイッチユニットとして幅広い用途で使用することができる。
【００８６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００８７】
１０  カメラ、１２  カメラユニット、１４  レンズユニット、２０  スイッチユニット、４０  外装部材、４１、５２、１９１  挿通孔、５０  レリーズボタン、５１  接触面、５３  軸、５４、１７６  溝、５５  平面、６０  電源ダイヤル、６１  凹部、６２、３０６  貫通孔、８０  防滴ゴム、９０  軸受部材、９１、１２１、１７１  胴部、９２、１２２  鍔部、１００  スポンジ、１１０、２００  Ｅリング、１２０  電源ダイヤルカラー、１２３  突部、１２４  規制面、１２５  面取部、１２６  制限面、１３０  ブラシ支持部材、１３１  基台部、１３２  取付部、１３３  ブラシ固定部、１３４  切欠部、１３５、１７８  側面、１４０  接触ブラシ、１５０  クリック板、１５１  クリック孔、１６０、２４０  ビス、１７０  スリーブ、１７２  第１軸、１７３  第２軸、１７４  溝部、１７５  突出部、１７７  平面、１８０、２２０  バネ、１９０  地板、１９２  バネ収容部、１９３  切片支持部、１９４  第１支持部、１９５  第２支持部、１９６  切片固定部、２１０  鋼球、２３０  電気切片、２３１  第１切片、２３２  第２切片、２３３  第３切片、２３４  第４切片、２５０、２５２  絶縁部材、３００  ケーブルレリーズ、３０２  取付部、３０４  押圧軸材、３０８  チューブ
【図１】
2018125296.tif 000003
【図２】
2018125296.tif 000004
【図３】
2018125296.tif 000005
【図４】
2018125296.tif 000006
【図５】
2018125296.tif 000007
【図６】
2018125296.tif 000008
【図７】
2018125296.tif 000009
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
筐体に取り付けられる地板と、
バネ部材と、
前記地板から離れる第１方向へ前記バネ部材により押されると共に前記バネ部材が押す力に抗して前記第１方向と反対の第２方向に変位可能な変位部材と、
前記第１方向と交差する面内で前記変位部材を前記筐体に対して位置決めし、前記変位部材のまわりを回転する回転部材と、
前記地板に一端が固定され、他端の前記第１方向の移動が前記地板で制限された第１電気切片と、
前記変位部材の前記第２方向の変位により前記第１電気切片と導通する第２電気切片とを備えるスイッチユニット。
【請求項２】
前記地板に一端が固定された第３電気切片をさらに備え、
前記第１電気切片は、前記変位部材の前記第２方向の変位により前記第３電気切片に導通する請求項１に記載のスイッチユニット。
【請求項３】
前記地板は、
前記第２電気切片が前記変位部材の第１ストロークの変位により前記第１電気切片と導通する位置で前記第１電気切片の前記第１方向の移動を制限する第１制限部と、
前記変位部材の前記第１ストロークと異なる第２ストロークの変位により前記第１電気切片が前記第３電気切片と導通する位置で前記第３電気切片の前記第１方向の移動を制限する第２制限部と
を有する請求項２に記載のスイッチユニット。
【請求項４】
前記第２制限部は、前記一端に対して前記変位部材よりも第１制限部の側に配置される請求項３に記載のスイッチユニット。
【請求項５】
前記変位部材の前記第２ストロークの変位により前記第１電気切片と一体的に変位して前記第３電気切片と導通する第４電気切片を更に含む請求項３または４に記載のスイッチユニット。
【請求項６】
前記変位部材と前記第１方向に連結した操作部材を備え、
前記操作部材は、前記筐体に対して前記第１方向に交差する第３方向に位置決めされている請求項１から５のいずれか１項に記載のスイッチユニット。
【請求項７】
前記操作部材と前記変位部材は、前記第１方向と交差する面内で互いに回転しないように接続されている請求項６に記載のスイッチユニット。
【請求項８】
前記操作部材は、前記回転部材よりも前記地板側において、前記第３方向へ伸びた鍔部を有し、
前記回転部材と前記鍔部の間に配置された、前記操作部材を前記変位部材から遠ざかる方向へ押す弾性部材を備える請求項６に記載のスイッチユニット。
【請求項９】
前記バネ部材が前記変位部材を押す力は、前記弾性部材が前記操作部材を押す力よりも大きい請求項８に記載のスイッチユニット。
【請求項１０】
前記鍔部は、前記操作部材に装着されるリング部材である請求項８または９に記載のスイッチユニット。
【請求項１１】
前記地板上に設けられた回路パターンと、
前記回路パターンに接触する接触ブラシと、
前記接触ブラシを支持して、前記回転部材と共に前記操作部材の周りに回動するブラシ支持部材と
を備える請求項１から１０のいずれか１項に記載のスイッチユニット。
【請求項１２】
前記操作部材が前記第２方向に移動すると、前記変位部材は、前記操作部材と共に前記第２方向に変位して前記第１電気切片と前記第２電気切片とを導通させ、
前記操作部材が前記第２方向に移動せずに前記変位部材が前記第２方向に変位すると、前記変位部材は前記操作部材に対して前記第２方向に相対的に変位して前記第１電気切片と前記第２電気切片とを導通させる請求項６から１１のいずれか１項に記載のスイッチユニット。
【請求項１３】
前記操作部材は、前記変位部材を押して前記操作部材に対して前記第２方向に相対移動させる軸材を挿通する挿通孔を有する請求項１２に記載のスイッチユニット。
【請求項１４】
地板と、
バネ部材と、
前記地板から離れる第１方向へ前記バネ部材により押されるとともに前記バネ部材が押す力に抗して前記第１方向と反対の第２方向に変位可能な変位部材と、
前記第１方向と交差する面内での前記変位部材の回転を制限する制限部と、
前記地板に一端が固定され、他端の前記第１方向の移動が前記地板で制限された第１電気切片と、
前記変位部材の前記第２方向の変位により前記第１電気切片と導通する第２電気切片とを備えるスイッチユニット。
【請求項１５】
請求項１から１４のいずれか１項に記載のスイッチユニットをレリーズスイッチとして備える撮像装置。